(57)【要約】【課題】プラテンが組上がった後でも簡単にプラテンの高さ調整ができるようにする。【解決手段】プラテン支持ベース６に複数の軸体１２を立設し、このプラテン支持ベース６上にプラテン２を載置する。プラテン２の軸体１２に対応する位置にプラテン２の上面に開口する凹入部１４を設ける。この凹入部１４内に軸体１２に螺合する調整ねじ１８を凹入部１４の開口部から回転操作可能に配置し、この調整ねじ１８を凹入部１４の底部に回転自在且つ軸方向に連動するように係合する。調整ねじ１８を凹入部１４の開口部から回転操作して、プラテン２の複数箇所の高さを軸体１２に沿って調整可能とし、プラテン２の傾きやねじれの調整を行うことができるようにする。【選択図】  図１
2004291396.tif 000002
【特許請求の範囲】
【請求項１】
プラテン支持ベースに複数の軸体を立設し、該プラテン支持ベース上に載置したプラテンを前記軸体に結合し、該プラテンの複数箇所の高さを前記軸体に沿って調整可能とし、前記プラテンの傾きやねじれの調整を行うことができるようにした記録装置用のプラテンの支持装置において、前記プラテンの前記軸体に対応する位置に前記プラテンの上面に開口する凹入部を設け、該凹入部内に前記軸体に螺合する調整ねじを前記凹入部の開口部から回転操作可能に配置し、前記調整ねじを前記凹入部の底部に回転自在に係合したことを特徴とする記録装置用プラテンの支持装置。
【請求項２】
前記軸体にコイルばねを嵌挿し、前記プラテン支持ベースを支点として、前記プラテンを上方向に付勢したことを特徴とする請求項１に記載の記録装置用プラテンの支持装置。
【請求項３】
前記プラテンの下面に垂直方向にガイド軸を設け、該ガイド軸を前記プラテン支持ベースに立設したガイド支軸にスライド自在に嵌挿したことを特徴とする請求項１に記載の記録装置用プラテンの支持装置。
【発明の詳細な説明】
【０００１】
【発明の属する技術分野】
本発明は大型インクジェットプリンタなどの記録装置に用いられるプラテン支持装置に関する。
【０００２】
【従来の技術】
従来のプラテンの支持装置は、プラテンの作図部分を複数のブロックに分割し、各ブロックごとにプリントヘッドとの対向間隔を調整するためのペーパーギャップ調整機構を設けている（例えば特許文献１参照）。
【０００３】
【特許文献１】
特開平１１−２０７９４４号公報（第１ページ、第１図）
【０００４】
【発明が解決しようとする課題】
従来のプラテンの高さ調整機構は、プラテンの下側で調整作業を行うように構成されている。そのため、記録装置が一度組み立てられた後では、プラテンの高さの調整を行うのが難しいという問題点があった。
本発明は上記問題点を解決することを目的とするものである。
【０００５】
【課題を解決するための手段】
上記目的を達成するため、本発明は、プラテン支持ベースに複数の軸体を立設し、該プラテン支持ベース上に載置したプラテンを前記軸体に結合し、該プラテンの複数箇所の高さを前記軸体に沿って調整可能とし、前記プラテンの傾きやねじれの調整を行うことができるようにした記録装置用のプラテンの支持装置において、前記プラテンの前記軸体に対応する位置に前記プラテンの上面に開口する凹入部を設け、該凹入部内に前記軸体に螺合する調整ねじを前記凹入部の開口部から回転操作可能に配置し、前記調整ねじを前記凹入部の底部に回転自在に係合したものである。
また本発明は、前記軸体にコイルばねを嵌挿し、前記プラテン支持ベースを支点として、前記プラテンを上方向に付勢したものである。
また本発明は、前記プラテンの下面に垂直方向にガイド軸を設け、該ガイド軸を前記プラテン支持ベースに立設したガイド支軸にスライド自在に嵌挿したものである。
【０００６】
【発明の実施の形態】
符号２はインクジェット大型プリンタを構成するプラテンであり、平面が長方形状の印字作業面２ａを備えている。前記プラテン２の面板の下方の左右の略中央には一対のガイド軸４が垂設されている。６はプリンタのベース材（図示省略）に固設されたボックス状のプラテン支持ベースであり、これの底部の左右の略中央に一対のパイプから成るガイド支軸８が立設され、該ガイド支軸８に前記ガイド軸４がスライド自在に嵌挿されている。
【０００７】
前記プラテン２の印字作業面２ａの上方には、図１中、紙面垂直方向に延びるＹ軸レール（図示省略）に移動自在に取り付けられたインクジェット記録ヘッド１０が配置され、該記録ヘッド１０から吐出されるインク滴により、プラテン２の印字作業面２ａ上の用紙に印字が行われるように構成されている。前記プラテン支持ベース６の底部の四隅には４本のスタットボルトから成る軸体１２が立設されている。
【０００８】
前記プラテン２の、前記軸体１２に対応する位置には、上部が開放された筒状の凹入部１４が垂直に形成され、該各凹入部１４の上部は、前記プラテン２の印字作業面２ａと同一平面上に開口している。前記凹入部１４の底部の中央には、穴１６が穿設され、該穴１６に前記軸体１２の上部が遊嵌している。１８は、管体から成る調整ねじであり、内径部のねじ穴が前記軸体１２の上部のねじに螺合している。前記調整ねじ１８の外周部には、つば部１８ａと、円周溝１８ｂが形成されている。
【０００９】
前記調整ねじ１８の外周部の上部は、前記穴１６に回転自在に嵌合し、前記つば部１８ａの下面が前記凹入部１４の底部の内部水平面に対接している。前記調整ねじ１８の円周溝１８ｂには、カラー２０が嵌合し、該カラー２０は、前記調整ねじ１８を、前記凹入部１４の底部に、垂直方向即ち軸体１２の軸方向にずれないように、回転自在に係止している。２２は各軸体１２に嵌挿されたコイルばねであり、プラテン支持ベース６の内部底面を支点として、前記カラー２０を介し、前記プラテン２の凹入部１４の底部を上方向に付勢している。２４は止めねじである。
【００１０】
上記した構成において、プラテン２の印字作業面２ａの、記録ヘッド１０に対する平行度を調整する場合には、回転用の工具をプラテン２の印字作業面２ａに開口する凹入部１４に挿入し、該工具を用いて調整ねじ１８のつば部１８ａを介して調整ねじ１８を回転する。調整ねじ１８の回転により、調整ねじ１８は、軸体１２のねじに案内されて軸体１２に沿って上下動し、プラテン２の凹入部１４の高さが変化する。
【００１１】
プラテン２の４カ所の高さ調整が完了したら、止めねじ２４を軸体１２の上部にきつくねじ込み、調整ねじ１８を軸体１２に対して回転しないように、軸体１２に固定する。プラテン２の４カ所の高さ調整を行うことにより、プラテン２の傾きやねじれの調整を行うことができ、プラテン２の印字作業面２ａを、記録ヘッド１０のインク吐出面の主走査方向の移動軌跡面に対して、正確に平行に調整することができる。
【００１２】
【発明の効果】
本発明は、上述の如く構成したので、プラテンが組み上がった後でも、プラテンの表面上から簡単に高さの調整を行うことができる。
【図面の簡単な説明】
【図１】プラテン支持装置のＡ−Ａ線断面図である。
【図２】プラテン支持装置の平面図である。
【符号の説明】
２      プラテン
２ａ    印字作業面
４      ガイド軸
６      プラテン支持ベース
８      ガイド支軸
１０    記録ヘッド
１２    軸体
１４    凹入部
１６    穴
１８    調整ねじ
２０    カラー
２２    コイルばね
２４    止めねじ
【図１】
2004291396.tif 000003
【図２】
2004291396.tif 000004